(57)【要約】【課題】乗りかご上部に脱着用のスペースを設けることを要さないと共に、作業工程の低減を図り、かつ乗客のいたずらにより装置が取外されることを防ぐことのできるエレベーターの乗りかご照明装置の提供。【解決手段】壁面を形成する側板５に乗りかご内を照らす光源が配置されるものにあって、光源および遮蔽板１１を一体とした照明ユニットＵを設け、この照明ユニットＵを上下方向にスライド可能に配置すると共に、その隣接する側板５と対向する位置に第１の係合部（１２）を備え、照明ユニットＵと隣接する側板５には、照明ユニットＵが押し上げ位置にある時に、第１の係合部（１２）と係合する第２の係合部１３が設けられ、かつ、幅木１５を脱着自在とし、この幅木１５裏面側に、照明ユニットＵ下端に当接可能であり、照明ユニットＵを押し上げ位置にて保持可能な固定部１６を設けたものである。【選択図】図１
2015016961.tif 000002
【特許請求の範囲】
【請求項１】
壁面を形成する複数の側板と、これらの側板と床との間に配置される幅木とを備えた乗りかごにあって、前記側板に前記乗りかご内を照らす光源が配置されると共に、前記光源の前面を覆う遮蔽板を設けたエレベーターの乗りかご内照明装置において、
前記光源および前記遮蔽板を一体とした照明ユニットを設け、この照明ユニットを上下方向にスライド可能に配置すると共に、その隣接する側板と対向する位置に第１の係合部を備え、前記照明ユニットと隣接する側板には、前記照明ユニットが押し上げ位置にある時に、前記第１の係合部と係合する第２の係合部が設けられ、かつ、前記幅木を脱着自在とし、この幅木裏面側に、前記照明ユニット下端に当接可能であり、前記照明ユニットを押し上げ位置にて保持可能な固定部を設けたことを特徴とするエレベーターの乗りかご内照明装置。
【請求項２】
前記第１の係合部が、前記照明ユニットの両側辺に形成される断面略Ｌ字状の切り欠きから成り、前記照明ユニットが押し上げ位置にある時に、前記第２の係合部が前記切り欠きの垂直部に位置して係合することを特徴とする請求項１に記載のエレベーターの乗りかご内照明装置。
【請求項３】
前記固定部が、前記遮蔽板を上下方向にスライドするジャッキボルトを備えることを特徴とした請求項１に記載のエレベーターの乗りかご内照明装置。
【発明の詳細な説明】
【技術分野】
【０００１】
本発明は、エレベーターの乗りかご内照明装置に関する。
【背景技術】
【０００２】
エレベーターの乗りかご内照明装置として、乗りかごの天井に照明装置を設置し、光を照射するものが一般的であるが、近年、乗りかご内の照度や意匠性を向上するため、乗りかごの壁面、すなわち側板に照明装置を配置したものが提案されており、この種のものとして、特開２０１２−８２０４４号公報（特許文献１）がある。この公報には、側板間に設けられる目地部に、乗りかご内を照らすＬＥＤを配置したものにおいて、目地部に配置され、幅寸法が目地部の幅寸法と同等の寸法から成り、ＬＥＤが縦方向に複数個配設された基板と、この基板が装着されるとともに、目地部に配置され、側板に着脱自在に係止される固定部材と、目地部に配置され、基板に配置されたＬＥＤを覆うカバー体とを備え、乗りかごの天井の近傍に位置する目地部の部分に、他の部分に比べて照度を高くする基板に配設されたＬＥＤによって形成した、すなわちＬＥＤの配設個数を多くした高照度発光部を設けた構成にしてある、と記載されている。
【先行技術文献】
【特許文献】
【０００３】
【特許文献１】特開２０１２−８２０４４号公報
【発明の概要】
【発明が解決しようとする課題】
【０００４】
ところで、前述した従来のものでは、光源としてＬＥＤが用いられている。ＬＥＤは、従来の蛍光灯や白熱電球と比較し、長寿命であるため保全周期が長くなるが、やはりＬＥＤの球切れや基板の故障などは生じるものであり、このような時にはＬＥＤや基板の交換作業が必要となる。前述したものでは、乗りかご内よりＬＥＤおよび基板が装着される固定部材を天井方向に押し上げることにより、達磨穴を介した側板との係合を解除し、ＬＥＤおよび基板を取外すようになっている。しかしながら、固定部材を押し上げるためには、天井と固定部材との間に、押し上げ代、すなわち脱着用のスペースが必要となる。このような脱着用のスペースを設けると人目につき易い乗りかご上部の照度が低下することから、この部分の照度を増すために特別な構造としたり、脱着用のスペースを隠すためのカバーを別途設ける必要があるといった課題があった。また、側板に係止される固定部材と目地部に配置されるカバー体、すなわち遮蔽板とは別体であることから、作業工程が比較的多くなるという課題もあった。さらに、乗客の手の届く位置に取外し可能に配設される遮蔽板の固定に特別な工夫がなされておらず、このため悪意を持った乗客が遮蔽板を外し、固定部材を押し上げて照明装置を取外してしまう虞もあった。
【０００５】
本発明は、前述した従来技術における実状からなされたもので、その目的は、乗りかご上部に脱着用のスペースを設けることを要さないと共に、作業工程の低減を図り、かつ乗客のいたずらにより装置が取外されることを防ぐことのできるエレベーターの乗りかご照明装置を提供することにある。
【課題を解決するための手段】
【０００６】
前記目的を達成するために、本発明は、壁面を形成する複数の側板と、これらの側板と床との間に配置される幅木とを備えた乗りかごにあって、前記側板に前記乗りかご内を照らす光源が配置されると共に、前記光源の前面を覆う遮蔽板を設けたエレベーターの乗りかご内照明装置において、前記光源および前記遮蔽板を一体とした照明ユニットを設け、この照明ユニットを上下方向にスライド可能に配置すると共に、その隣接する側板と対向する位置に第１の係合部を備え、前記照明ユニットと隣接する側板には、前記照明ユニットが押し上げ位置にある時に、前記第１の係合部と係合する第２の係合部が設けられ、かつ、前記幅木を脱着自在とし、この幅木裏面側に、前記照明ユニット下端に当接可能であり、前記照明ユニットを押し上げ位置にて保持可能な固定部を設けたことを特徴としている。
【０００７】
このように構成した発明にあっては、乗りかご内の照明装置の保全作業を行うため照明ユニットを取外す場合、側板と床との間に配置される幅木を取外し、この幅木裏面側に設けられる固定部を操作して、照明ユニットを押し上げ位置から下方向に変位する。これにより照明ユニット側の第１の係合部と側板側の第２の係合部との係合が解除され、この状態で照明ユニットを側板から離れる方向に移動することにより、光源および遮蔽板を一体とした照明ユニットを側板から取外す。このように照明ユニットを下方向に変位させて取外すものであり、人目につき易い乗りかご上部に脱着用のスペースを設けることを要さない。また、光源および遮蔽板を一体化していることから、光源および遮蔽板をまとめて脱着することができ、これによって、現場における作業工程を低減することができる。さらに、照明ユニットを側板との係合位置に保持する固定部は、通常、幅木により人目から隠されていることから、いたずらにより照明ユニットが取外されることを防ぐことができる。
【０００８】
また、本発明は、前記第１の係合部が、前記照明ユニットの両側辺に形成される断面略Ｌ字状の切り欠きから成り、前記照明ユニットが押し上げ位置にある時に、前記第２の係合部が前記切り欠きの垂直部に位置して係合することを特徴としている。
【０００９】
このように構成した発明にあっては、固定部を操作して照明ユニットを押し上げ位置から下方向に変位すると、側板側の第２の係合部は切り欠きの水平部に位置し、この状態で照明ユニットを側板から離れる方向に移動することにより、照明ユニットを側板から取外す。これによって、照明ユニットの側板への脱着を容易に行うことができる。
【００１０】
さらに、本発明は、前記固定部が、前記遮蔽板を上下方向にスライドするジャッキボルトを備えることを特徴としている。
【００１１】
このように構成した発明にあっては、ジャッキボルトを回動することにより照明ユニットを上下方向に変位する。これにより、固定部の作業性を向上し、照明ユニットの脱着作業を容易なものとすることができる。
【発明の効果】
【００１２】
本発明によれば、光源および遮蔽板を一体とした照明ユニットを設け、この照明ユニットを上下方向にスライド可能に配置すると共に、その隣接する側板と対向する位置に第１の係合部を備え、照明ユニットと隣接する側板には、照明ユニットが押し上げ位置にある時に、第１の係合部と係合する第２の係合部が設けられ、かつ、幅木を脱着自在とし、この幅木裏面側に、照明ユニット下端に当接可能であり、照明ユニットを押し上げ位置にて保持可能な固定部を設けたことにより、照明ユニットを下方向に変位させて取外すものとし、人目につき易い乗りかご上部に脱着用のスペースを設けることを要さない。これによって、特別な構造とすることなく意匠性を保つことができる。また、脱着用のスペースを隠すためのカバーは一般的な幅木であることから、簡易な構造、および安価なものとすることができる。さらに、光源および遮蔽板を一体化していることから、光源および遮蔽板をまとめて脱着することができ、これによって、現場における作業工程を低減し、作業効率の向上を図ることができる。さらにまた、照明ユニットを側板との係合位置に保持する固定部は、通常、幅木により人目から隠されていることから、いたずらにより照明ユニットが取外されることを防ぐことができる。
【００１３】
また、第１の係合部が、照明ユニットの両側辺に形成される断面略Ｌ字状の切り欠きから成り、照明ユニットが押し上げ位置にある時に、第２の係合部が切り欠きの垂直部に位置して係合することにより、照明ユニットの側板への脱着を容易に行うことができる。
【００１４】
さらに、固定部が、照明ユニットを上下方向にスライドするジャッキボルトを備えることにより、固定部の作業性を向上し、照明ユニットの脱着作業を容易なものとすることができる。
【図面の簡単な説明】
【００１５】
【図１】本発明に係るエレベーターの乗りかご内照明装置の実施例を示す縦断面図である。
【図２】本実施例における側板側の正面図である。
【図３】本実施例における乗りかご内照明装置の要部拡大図である。
【図４】本発明が適用されるエレベーターの概略構成図である。
【図５】本発明が適用されるエレベーターの乗りかごの平面図である。
【発明を実施するための形態】
【００１６】
以下、本発明に係るエレベーターの乗りかご内照明装置の実施例を図に基づき説明する。
【実施例１】
【００１７】
エレベーターは、一般に、図４に示すように、建築構造物に形成される昇降路内を昇降する乗りかご１と、この乗りかご１と主ロープ２を介して連結されるつり合いおもり３と、主ロープ２が巻き掛けられるシーブ４ａを有し、主ロープ２を介して乗りかご１およびつり合いおもり３を昇降させる巻上機４とを有している。
【００１８】
乗りかご１は、図５に示すように、壁面を形成する複数の側板５を有している。そして、乗りかご１の左右面を形成する側板５ａと乗りかご１の奥行き面を形成する側板５ｂとの間に照明装置６が対となって配置されている。
【００１９】
そして、本実施例では、乗りかご１上部に照明装置６の脱着用のスペースを設けることを要さないと共に、作業工程の低減を図り、かつ乗客のいたずらにより装置が取外されることを防ぐために工夫がなされている。具体的には、図１および図３に示すように、断面略コ字状の筐体７と、筐体７にボルト８により固定される光源、例えば図示しない電源に接続される基板９、およびこの基板９に配列されるＬＥＤ１０と、筐体７に取付けられ、ＬＥＤ１０の前面を覆う遮蔽板１１とを備えている。なお、これらの筐体７、基板９、ＬＥＤ１０および遮蔽板１１により照明ユニットＵが構成され、この照明ユニットＵは、工場にてあらかじめ一体に組み立てられている。
【００２０】
また、照明ユニットＵは、上下方向にスライド可能に配置されると共に、図１に示すように、その両側辺に、第１の係合部、すなわち水平部１２ａおよび垂直部１２ｂを有する断面略Ｌ字状の切り欠き１２が形成されている。そして、側板５ａ、５ｂには、図１および図２に示すように、照明ユニットＵが押し上げ位置にある時に、切り欠き１２の垂直部１２ｂに位置して係合する第２の係合部１３が設けられている。
【００２１】
さらに、図１に示すように、側板５下端と床１４との間に幅木１５が配置されると共に、この幅木１５は脱着自在に構成されている。さらに、幅木１５の裏面側に、照明ユニットＵ下端に当接可能であり、照明ユニットＵを押し上げ位置にて固定可能な固定部１６が設けられている。この固定部１６は、例えばかご床枠１７の上端水平部に螺合され、その上端部が照明ユニットＵ下端に当接して照明ユニットＵを上下方向に変位するジャッキボルト１８を備えている。
【００２２】
本実施例にあっては、通常時、図１に示すように、ジャッキボルト１８の上端部を照明ユニットＵ下端に当接させ、照明ユニットＵを押し上げ位置に保持する。この時、第２の係合部１３は切り欠き１２の垂直部１２ｂに位置しており、照明ユニットＵは側板５に係合されている。また、側板５と床１４との間に幅木１５が装着され、幅木１５の裏面側に固定部１６が配置される。これによって、照明ユニットＵの脱着を行うために操作される固定部１６は幅木１５により人目から隠されている。
【００２３】
そして、照明装置６の保全作業、例えば基板９、或いはＬＥＤ１０の故障により照明ユニットＵを取外す場合、作業員は、側板５と床１４との間に配置される幅木１５を取外す。次いで、この幅木１５裏面側に設けられる固定部１６のジャッキボルト１８を螺退させ、照明ユニットＵを押し上げ位置から下方向に変位する。照明ユニットＵを下方向に変位させることにより、第２の係合部１３は切り欠き１２の垂直部１２ｂから水平部１２ａへと移動する。第２の係合部１３が切り欠き１２の水平部１２ａに位置した状態で照明ユニットＵを側板５から離れる方向に水平に移動することにより照明ユニットＵを取外す。この後、新たな照明ユニットＵを前述したものと逆の手順で側板５に取付け、復旧する。なお、既設の照明ユニットＵは現場ではなく、工場等の外部にて必要に応じて基板９やＬＥＤ１０の交換を行い、現場では新旧の照明ユニットＵを一体的に交換するだけである。
【００２４】
本実施例によれば、筐体７、基板９、ＬＥＤ１０および遮蔽板１１を一体とした照明ユニットＵを設け、この照明ユニットＵを上下方向にスライド可能に配置すると共に、その隣接する側板５ａ、５ｂと対向する位置に第１の係合部となる切り欠き１２を備え、照明ユニットＵと隣接する側板５ａ、５ｂには、照明ユニットＵが押し上げ位置にある時に、切り欠き１２と係合する第２の係合部１３が設けられ、かつ、幅木１５を脱着自在とし、この幅木１５裏面側に、照明ユニットＵ下端に当接可能であり、照明ユニットＵを押し上げ位置にて保持可能な固定部１６を設けたことにより、照明ユニットＵを下方向に変位させて取外すものとし、人目につき易い乗りかご１上部に脱着用のスペースを設けることを要さない。これによって、特別な構造とすることなく意匠性を保つことができる。また、脱着用のスペースを隠すためのカバーは一般的な幅木１５であることから、簡易な構造、および安価なものとすることができる。さらに、筐体７、基板９、ＬＥＤ１０および遮蔽板１１を一体化していることから、これらをまとめて脱着することができ、これによって、現場における作業工程を低減し、作業効率の向上を図ることができる。さらにまた、照明ユニットＵを側板５との係合位置に保持する固定部１６は、通常、幅木１５により人目から隠されていることから、いたずらにより照明ユニットＵが取外されることを防ぐことができる。
【００２５】
また、第１の係合部が、照明ユニットＵの両側辺に形成される断面略Ｌ字状の切り欠き１２から成り、照明ユニットＵが押し上げ位置にある時に、第２の係合部１３が切り欠き１２の垂直部１２ｂに位置して係合することにより、照明ユニットＵの側板５への脱着を容易に行うことができる。
【００２６】
さらに、固定部１６が、照明ユニットＵを上下方向にスライドするジャッキボルト１８を備えることにより、固定部１６の作業性を向上し、照明ユニットＵの脱着作業を容易なものとすることができる。
【００２７】
なお、本発明は前述した実施例に限定されるものではなく、様々な変形例が含まれる。また、前述した実施例の構成の一部について、他の構成の追加・削除・置き換えをすることが可能である。例えば前述した実施例では、乗りかご１の左右面を形成する側板２ａと乗りかご１の奥行き面を形成する側板２ｂとの間に照明装置６を２つ配置した例を示したが、本発明はこれに限られるものではなく、照明装置の配置箇所および配置個数は任意に応じたものとすることができる。
【符号の説明】
【００２８】
１  乗りかご
５  側板
６  照明装置
７  筐体
９  基板
１０  ＬＥＤ
１１  遮蔽板
１２  切り欠き（第１の係合部）
１２ａ  水平部
１２ｂ  垂直部
１３  第２の係合部
１５  幅木
１６  固定部
１８  ジャッキボルト
【図１】
2015016961.tif 000003
【図２】
2015016961.tif 000004
【図３】
2015016961.tif 000005
【図４】
2015016961.tif 000006
【図５】
2015016961.tif 000007